(57)【要約】【課題】顔の周辺や頭部全体を、上下左右の広い角度から自由に観察することができ、しかも形状がコンパクトで使い勝手のよい多面鏡を提供する。【解決手段】主鏡２６と、上記主鏡２６の周縁部の上下左右の４個所に、それぞれ折り畳み自在に連結される側鏡１６、１７、２２、２３とを有し、各側鏡１６等が、主鏡２６に対し角度自在に位置決めできるようになっている。【選択図】図４
2006006457.tif 000002
【特許請求の範囲】
【請求項１】
主鏡と、上記主鏡の周縁部の少なくとも上下左右の４個所に、それぞれ折り畳み自在に連結される側鏡とを有し、各側鏡が、主鏡に対し角度自在に位置決めできるようになっていることを特徴とする多面鏡。
【請求項２】
上記側鏡が全て、主鏡に対し略平行に折り畳み可能になっている請求項１記載の多面鏡。
【請求項３】
主鏡と側鏡からなる鏡部分が、基台から延びる支持アーム先端部に、角度自在かつ回転自在に取り付けられている請求項１または２記載の多面鏡。
【発明の詳細な説明】
【技術分野】
【０００１】
本発明は、主鏡と側鏡とを備えた多面鏡に関するものである。
【背景技術】
【０００２】
従来から、メイクアップ等を行う際に用いられる鏡としては、一面鏡か、左右に開く側鏡を備えた三面鏡が一般的である。
【０００３】
しかしながら、従来の三面鏡では、左右の側鏡を利用して、一面鏡では見えなかった後姿が見えるという利点を有するものの、頭の上やあごの下といった、上下方向における視覚外の部分を見ることができず、自分の顔周辺や頭部を立体的に把握するには限界があった。
【０００４】
これに対し、鏡による視野をより広げ、後頭部や側頭部を見やすくした五面鏡が提案されている（特許文献１参照）。このものは、図９に示すように、主鏡３と左右の袖鏡４とで構成される、いわゆる三面鏡において、上記左右の袖鏡４の開放端部に、回動可動な状態で、さらに内袖鏡５を連結した構成になっている。
【特許文献１】特開２０００−７００９２号公報
【発明の開示】
【発明が解決しようとする課題】
【０００５】
たしかに、この五面鏡によれば、鏡による視野が広がり、従来のものより見やすいという利点を有するが、袖鏡４と内袖鏡５が、左右方向に大きく張り出すため、場所をとり、設置が大がかりになってしまうという問題がある。また、後頭部や側頭部は見やすいが、上下方向の視野は依然として限られているため、顔の周辺や頭頂部まで含めた頭部全体を、好きな角度から自由に観察することはできないという問題がある。
【０００６】
本発明は、このような事情に鑑みなされたもので、顔の周辺や頭部全体を、上下左右の広い角度から自由に観察することができ、しかも形状がコンパクトで使い勝手のよい多面鏡の提供を、その目的とする。
【課題を解決するための手段】
【０００７】
上記の目的を達成するため、本発明は、主鏡と、上記主鏡の周縁部の少なくとも上下左右の４個所に、それぞれ折り畳み自在に連結される側鏡とを有し、各側鏡が、主鏡に対し角度自在に位置決めできるようになっている多面鏡を第１の要旨とする。
【０００８】
また、本発明は、そのなかでも、特に、上記側鏡が全て、主鏡に対し略平行に折り畳み可能になっている多面鏡を第２の要旨とし、上記主鏡と側鏡からなる鏡部分が、基台から延びる支持アーム先端部に、角度自在かつ回転自在に取り付けられている多面鏡を第３の要旨とする。
【発明の効果】
【０００９】
すなわち、本発明の多面鏡は、主鏡の周縁部の少なくとも上下左右の４個所に、それぞれ側鏡が連結され、角度自在に位置決めできるようになっているため、上下の側鏡を利用して、頭頂部やあごの下を容易に見ることができ、左右の側鏡を利用して、側頭部や後頭部を見ることができる。また、互いの鏡の角度を調整することにより、従来は見ることができない角度からの顔や頭部を観察することができるため、ふだん手入れが行き届きにくい部位の状態を把握して今後の手入れ等に役立てたり、意図的に行った手入れの効果を確認したりすることができる。
【００１０】
また、本発明の多面鏡のなかでも、特に、上記側鏡が全て、主鏡に対し略平行に折り畳み可能になっている多面鏡は、側鏡の枚数が多くても、全体を平たく折り畳むことができるため、保管時に、小さなスペースに片づけることができ、便利である。そして、鏡同士を平行に折り重ねると、鏡同士が面接触することになるため、鏡面の特定の部分に荷重がかかって損傷を招いたり、鏡を保持する枠部分に歪みを生じたりすることがない、という利点を有する。
【００１１】
さらに、本発明の多面鏡のなかでも、特に、上記主鏡と側鏡からなる鏡部分が、基台から延びる支持アーム先端部に、角度自在かつ回転自在に取り付けられている多面鏡は、顔や頭の特定の部位を観察するのに都合のよい位置に、主鏡を位置決めすることができ、より使い勝手がよい、という利点を有する。
【発明を実施するための最良の形態】
【００１２】
つぎに、本発明を実施するための最良の形態について説明する。
【００１３】
図１は、本発明の最良の形態である多面鏡を示す斜視図であり、図２は、上記多面鏡を後方からみた斜視図である。これらの図において、１１は、全体を支受するための基台で、平面視長方形の鉄製枠状体である。そして、この基台１１の後方辺部１１ａから、やや前方に傾斜した状態で、同じく鉄製の支持アーム１２が上方に延びており、その先端部に、主鏡２６と４枚の側鏡１６、１７、２２、２３（側鏡２２、２３は隠れてみえない）からなる鏡部１４が、ユニバーサルジョイント１３を介して角度自在かつ回転自在に取り付けられている。そして、これらの主鏡２６、側鏡１６等は、全て、鏡の周囲および裏面が、鉄製の板金からなるフレームで覆われた構造になっている。
【００１４】
上記鏡部１４を、より詳しく説明すると、まず、主鏡２６の左右側面に、鉄製蝶番１５が設けられており、この蝶番１５を介して、左右方向に開く２枚の側鏡１６、１７が取り付けられている。これらを開いた状態を図３に示す。なお、側鏡１６、１７において、フレーム内の鏡１８、１９の周囲には、衝撃を緩衝するために、プラスチック材、エラストマー等からなる緩衝部材２０が設けられている。
【００１５】
そして、上記左右に開く側鏡１６、１７の内側には、さらに、主鏡２６の上下面に設けられた鉄製蝶番２１を介して、上下に開く２枚の側鏡２２、２３が取り付けられている、これらを開いた状態を図４に示す。なお、側鏡２２、２３において、フレーム内の鏡２４、２５の周囲にも、衝撃を緩衝するために、上記鏡１８、１９の周囲と同様、緩衝部材２０が設けられている。また、上記上下に開く側鏡２２、２３の奥には、正方形の主鏡２６が設けられている。主鏡２６の鏡２７の周囲にも、緩衝部材２０が設けられている。
【００１６】
このように、各側鏡１６、１７、２２、２３は、主鏡２６の左右側面および上下面の４個所に、蝶番１５、２１を介して折り畳み自在に連結されており、しかも、蝶番１５の方が蝶番２１よりも幅広で、側鏡１６、１７を、側鏡２２、２３の厚み分を考慮して折り畳めるようになっているため、いずれの側鏡１６等も、主鏡２６に対し平行に、すなわち最小限の薄さに折り畳むことができるようになっている。
【００１７】
そして、上記蝶番１５、２１には、図５に示すように、左右の蝶番プレートのうち、ヒンジピン３０を挿通する円筒部分３１、３２に、所定深さのダボ３３が形成されている（円筒部分３１に対するダボ３３は、この図では裏側にあるので見えない）ため、ヒンジピン３０に対する蝶番プレートの回動動作にブレーキがかかり、主鏡２６に対し、側鏡１６等を、任意の角度で位置決め保持することができるようになっている（いわゆる「フリーストップ機能」である）。
【００１８】
したがって、この多面鏡によれば、主鏡２６の周囲の、上下左右の４個所に、それぞれ側鏡１６等が連結され、各側鏡１６等が角度自在に位置決めできるようになっているため、上下の側鏡２２、２３を利用して、頭頂部やあごの下を容易に見ることができ、左右の側鏡１６、１７を利用して、側頭部や後頭部を見ることができる。また、主鏡２６、側鏡１６等の互いの鏡２７等の角度を調整することにより、従来は見ることができない角度からの顔や頭部を観察することができるため、ふだん手入れが行き届きにくい部位の状態を把握して今後の手入れ等に役立てたり、意図的に行った手入れの効果を確認したりすることができる。
【００１９】
そして、上記側鏡１６等を全て、主鏡２６に対し平行に折り畳むことができるようになっているため、全体を平たく折り畳むことができる。したがって、保管時に、小さなスペースに片づけることができ、便利である。しかも、主鏡２６および側鏡１６等を互いに平行に折り重ねると、それぞれの鏡同士、あるいは鏡とフレーム同士が面接触することになるため、鏡の特定の部分に荷重がかかって損傷を招いたり、鏡を保持するフレーム部分に歪みを生じたりすることがない、という利点を有する。
【００２０】
さらに、上記主鏡２６自身が、基台１１から延びる支持アーム１２の先端部に、ユニバーサルジョイント１３を介して、角度自在かつ回転自在に取り付けられているため、主鏡２６自身の位置を、顔や頭の特定の部位を観察するのに都合のよい位置に、位置決めすることができ、より使い勝手がよい、という利点を有する。
【００２１】
なお、上記の例において、側鏡１６等は、正方形の主鏡２６に対し、上下左右４個所に連結させているが、側鏡１６等の枚数や連結態様は、上記の例に限らず、任意に設定することができる。そして、主鏡２６の形状も、任意に設定することができる。ただし、少なくとも主鏡２６の上下左右４個所に、それぞれ側鏡１６等を連結することが、鏡による視野を広げる上で、重要である。以下、側鏡の連結態様等の変形例をいくつか列挙する。ただし、連結部の構造は単純化して模式的に示している。
【００２２】
例えば、図６（ａ）の例は、八角形の主鏡４０に対し、その上下左右４個所に、４枚の側鏡４１を、それぞれ連結したものである。また、同図（ｂ）の例は、前記の例と同様、正方形の主鏡４２に対し、上下左右の各辺に対し、部分的に、４枚の側鏡４３を、それぞれ連結したものである。
【００２３】
さらに、図７（ａ）の例は、六角形の主鏡４４に対し、その六辺全てに、６枚の側鏡４５、４６を、それぞれ連結したものである。この場合、主鏡４４に対し、左右に連結されるべき側鏡４５、４６が、角度を変えて上下２段に分かれて連結されている、といえる。このように、本発明において、「上下左右」とは、厳密なものではなく、多少方向がずれていても、少なくとも上方、下方、左方向、右方向の４方向に、側鏡が連結されていればよい。なお、この例の場合、側鏡４５（または４６）を畳み、ついで側鏡４６（または４５）を畳むことにより、全体をコンパクトに畳むことができる。
【００２４】
また、図７（ｂ）の例は、円形の主鏡４７に対し、上下左右４個所に、４枚の半円状の側鏡４８をそれぞれ連結したものである。もちろん、各側鏡４８が、鎖線で示すように、円形の側鏡４８′であっても差し支えない。
【００２５】
また、図８（ａ）の例は、八角形の主鏡５０に対し、全ての辺である８個所に、８枚の側鏡５１、５２をそれぞれ連結したものである。このものは、左右の側鏡５１を閉じると、同図（ｂ）に示すように、主鏡５０およびその上に重ねた側鏡５２を全て覆うことができるようになっており、側鏡５１、５２が多くても、見栄えがよい。
【００２６】
さらに、上記の例では、基台１１、支持アーム１２、主鏡２６および側鏡１６等のフレームを、全て鉄製のもので構成しているが、これは、ユニバーサルジョイント１３の取り付け部に一定の強度をもたせることと、鉄製蝶番１５、２１を取り付け、ダボ３３を形成して簡単にフリーストップ機能を付与することを考慮したものである。ただし、全体を鉄製にする必要はなく、より軽量化の観点から、プラスチック製や木製の部材を組み合わせることができる。そして、鏡部１４の支持構造や、フリーストップ機能をもたせる構造は、従来公知のどのような構造を用いても差し支えない。
【００２７】
そして、全体を、上記の例のように、卓上型にする必要はなく、例えば壁掛け型、壁面組み込み型、洗面台組み込み型、鏡台組み込み型等、適宜の形態にすることができる。
【図面の簡単な説明】
【００２８】
【図１】本発明の一実施例の斜視図である。
【図２】上記実施例を後方から見た斜視図である。
【図３】上記実施例の使用態様の説明図である。
【図４】上記実施例の使用態様の説明図である。
【図５】上記実施例の使用態様の説明図である。
【図６】（ａ）、（ｂ）はともに上記実施例の変形例の説明図である。
【図７】（ａ）、（ｂ）はともに上記実施例の変形例の説明図である。
【図８】（ａ）は上記実施例の変形例の説明図、（ｂ）はその使用態様の説明図である。
【図９】従来の多面鏡の一例を示す説明図である。
【符号の説明】
【００２９】
１６、１７、２２、２３  側鏡
２６  主鏡
【図１】
2006006457.tif 000003
【図２】
2006006457.tif 000004
【図３】
2006006457.tif 000005
【図４】
2006006457.tif 000006
【図５】
2006006457.tif 000007
【図６】
2006006457.tif 000008
【図７】
2006006457.tif 000009
【図８】
2006006457.tif 000010
【図９】
2006006457.tif 000011